【手続補正書】
【提出日】平成18年1月12日(2006.1.12)
【手続補正１】
【補正対象書類名】明細書
【補正対象項目名】発明の名称
【補正方法】変更
【補正の内容】
【発明の名称】液滴吐出ヘッド及びその製造方法並びにインクジェット記録装置、画像形成装置、液滴を吐出する装置
【手続補正２】
【補正対象書類名】明細書
【補正対象項目名】特許請求の範囲
【補正方法】変更
【補正の内容】
【特許請求の範囲】
【請求項１】
液滴を吐出するノズルと、このノズルが連通する液室と、この液室内の液体を加圧する圧力を発生する圧力発生手段とを備え、少なくとも接着剤で接合された２つの部材を有する液滴吐出ヘッドにおいて、前記２つの部材の少なくとも一方の部材の接合面側には接着剤の濡れ性を改善する濡れ性改善層が形成され、且つ、前記２つの部材の少なくとも一方の部材の接合面側は偏肉があり、前記接着層の厚みが偏肉に沿って変化していることを特徴とする液滴吐出ヘッド。
【請求項２】
請求項１に記載の液滴吐出ヘッドにおいて、前記濡れ性改善層が酸化膜であることを特徴とする液滴吐出ヘッド。
【請求項３】
請求項１に記載の液滴吐出ヘッドにおいて、前記濡れ性改善層が樹脂層であることを特徴とする液滴吐出ヘッド。
【請求項４】
請求項３に記載の液滴吐出ヘッドにおいて、前記樹脂層の主成分がポリイミドであることを特徴とする液滴吐出ヘッド。
【請求項５】
液滴を吐出するノズルと、このノズルが連通する液室と、この液室内の液体を加圧する圧力を発生する圧力発生手段とを備え、少なくとも接着剤で接合された２つの部材を有する液滴吐出ヘッドにおいて、前記２つの部材の少なくとも一方の部材の接合面側には接着剤の濡れ性を改善する濡れ性改善処理が施され、且つ、前記２つの部材の少なくとも一方の部材の接合面側は偏肉があり、前記接着層の厚みが偏肉に沿って変化していることを特徴とする液滴吐出ヘッド。
【請求項６】
請求項５に記載の液滴吐出ヘッドにおいて、前記濡れ性改善処理が接合面のプラズマ処理又はオゾン処理であることを特徴とする液滴吐出ヘッド。
【請求項７】
請求項１乃至６のいずれかに記載の液滴吐出ヘッドにおいて、前記２つの部材の少なくとも一方の部材の接合面側の偏肉量が２〜１５μｍの範囲内にあることを特徴とする液滴吐出ヘッド。
【請求項８】
請求項１乃至７のいずれかに記載の液滴吐出ヘッドにおいて、前記接着層は最薄層部の厚みが２μｍを越えず、全体平均膜厚が５μｍを越えないことを特徴とする液滴吐出ヘッド。
【請求項９】
請求項１乃至８のいずれかに記載の液滴吐出ヘッドにおいて、前記２つの部材で液室若しくは流路を形成していることを特徴とする液滴吐出ヘッド。
【請求項１０】
請求項１乃至９のいずれかに記載の液滴吐出ヘッドにおいて、前記偏肉のある部材がノズル及び／又は流体抵抗部を形成したノズル板であることを特徴とする液滴吐出ヘッド。
【請求項１１】
請求項１０に記載の液滴吐出ヘッドにおいて、前記ノズル板がニッケル電鋳工法で形成されていることを特徴とする液滴吐出ヘッド。
【請求項１２】
請求項１乃至１１のいずれかに記載の液滴吐出ヘッドにおいて、前記２つの部材の少なくとも一方の部材がシリコン基板からなることを特徴とする液滴吐出ヘッド。
【請求項１３】
請求項１乃至１０のいずれかに記載の液滴吐出ヘッドを製造する方法であって、前記２つの部材のいずれか一方の部材の接合面に接着剤を塗布し、他方の部材を押し当てることにより、前記２つの部材間の空隙に前記接着剤が充填され、接合面全体が接合されることを特徴とする液滴吐出ヘッドの製造方法。
【請求項１４】
請求項１３に記載の液滴吐出ヘッドの製造方法において、前記接着剤が低粘度又は液状の接着剤であることを特徴とする液滴吐出ヘッドの製造方法。
【請求項１５】
請求項１４に記載の液滴吐出ヘッドの製造方法において、前記接着剤の粘度が１０〜５０００ｃｐｓの範囲内にあることを特徴とする液滴吐出ヘッドの製造方法。
【請求項１６】
請求項１３乃至１５のいずれかに記載の液滴吐出ヘッドの製造方法において、前記接着剤の塗布膜厚が、前記部材の偏肉量よりも小さいことを特徴とする液滴吐出ヘッドの製造方法。
【請求項１７】
請求項１３乃至１６のいずれかに記載の液滴吐出ヘッドの製造方法において、前記接着剤を転写法で塗布することを特徴とする液滴吐出ヘッドの製造方法。
【請求項１８】
インク滴を吐出させるインクジェットヘッドを搭載したインクジェット記録装置において、前記インクジェットヘッドが前記請求項１乃至１０のいずれかに記載の液滴吐出ヘッドであることを特徴とするインクジェット記録装置。
【請求項１９】
液滴吐出ヘッドを備えた画像形成装置において、前記液滴吐出ヘッドが前記請求項１乃至１０のいずれかに記載の液滴吐出ヘッドであることを特徴とする画像形成装置。
【請求項２０】
液滴吐出ヘッドで液滴を吐出させる装置において、前記液滴吐出ヘッドが前記請求項１乃至１０のいずれかに記載の液滴吐出ヘッドであることを特徴とする液滴を吐出させる装置。
【手続補正３】
【補正対象書類名】明細書
【補正対象項目名】０００１
【補正方法】変更
【補正の内容】
【０００１】
【産業上の利用分野】
本発明は液滴吐出ヘッド及びその製造方法並びにインクジェット記録装置、画像形成装置、液滴を吐出する装置に関する。
【手続補正４】
【補正対象書類名】明細書
【補正対象項目名】００１３
【補正方法】変更
【補正の内容】
【００１３】
本発明は上記の課題に鑑みてなされたものであり、接着剤のはみ出し量を低減し、接合信頼性も高い液滴吐出ヘッド及びその製造方法を提供するとともに、安定した画像品質が得られるインクジェット記録装置、画像形成装置、液滴を吐出する装置を提供することを目的とする。
【手続補正５】
【補正対象書類名】明細書
【補正対象項目名】００２１
【補正方法】変更
【補正の内容】
【００２１】
本発明に係るインクジェット記録装置は、インク滴を吐出させるインクジェットヘッドとして本発明に係る液滴吐出ヘッドを搭載したものである。
本発明に係る画像形成装置、液滴を吐出する装置は、本発明に係る液滴吐出ヘッドを備えたものである。
【手続補正６】
【補正対象書類名】明細書
【補正対象項目名】００２２
【補正方法】変更
【補正の内容】
【００２２】
【発明の実施の形態】
以下、本発明の実施の形態を添付図面を参照して説明する。図１は本発明に係る液滴を吐出する装置を含む、本発明に係る画像形成装置としてのインクジェット記録装置の機構部の概略斜視説明図、図２は同機構部の側面説明図である。
【手続補正７】
【補正対象書類名】明細書
【補正対象項目名】００８８
【補正方法】変更
【補正の内容】
【００８８】
さらに、上記各実施形態においては、液滴吐出ヘッドが静電型インクジェットヘッドである例で説明しているが、圧電素子を用いたピエゾ型インクジェットヘッド、或いは発熱抵抗体を用いたバブル型インクジェットヘッドなど、その他の方式のインクジェットにも適用することができる。液滴吐出ヘッドはインク滴を吐出するものに限らず、液体レジストなどの液滴を吐出するものなどにも適用できる。また、前述したようにプリンタ、ファクシミリ、プロッタ等の画像形成装置及び液滴を吐出する装置にも本発明に係る液滴吐出ヘッドを搭載することができる。
【手続補正８】
【補正対象書類名】明細書
【補正対象項目名】００９８
【補正方法】変更
【補正の内容】
【００９８】
本発明に係るインクジェット記録装置によれば、インク滴を吐出させるインクジェットヘッドとして本発明に係る液滴吐出ヘッドを搭載したので、インク滴吐出特性のバラツキが少なく、画像品質が向上する。また、本発明に係る画像形成装置、液滴を吐出する装置によれば、本発明に係る液滴吐出ヘッドを搭載したので、滴吐出特性のバラツキが少なく、画像品質が向上する。